(57)【要約】【課題】コンピュータ操作に適した点字とその表示装置を提供する。【解決手段】従来の６点式点字に代わり、新たに８点式点字を定義し、これをＡＳＣＩＩ／ＪＩＳコードに対応させる。表示装置については、１マスを判別しやすいように点字を斜めに配置し、点字の近傍にカーソルの位置を示す「カーソルピン」を設ける。【効果】本発明によれば、視覚障害者がコンピュータのプログラミング言語の作成が容易にできるようになるので、視覚障害者のコンピュータ産業への参加を促進することになり、ひいては障害者全体の地位向上の支援に寄与するといった効果がある。【選択図】　図４
2004020974.tif 000002
【特許請求の範囲】
【請求項１】
８個の点を用いて、それを斜めに配置し、ＡＳＣＩＩ／ＪＩＳコードと対応させたことを特徴とする点字。
【請求項２】
斜めに配置された８個の点字ピンと１個のカーソルピンからなり、視覚障害者が請求項１記載の点字を認識することができるようにしたことを特徴とする点字表示装置。
【請求項３】
ソースプログラムのエラー個所について、エラーのある個所のカーソルピンが振動することにより、視覚障害者がエラー個所を認識することができることを特徴とする請求項２記載の点字表示装置。
【発明の詳細な説明】
【０００１】
【発明の属する技術分野】
本発明は、視覚障害者がコンピュータのプログラミング言語を操作しやすくするための点字とその表示装置に関するものである。
【０００２】
【従来の技術】
従来、広く普及している６点式点字は、カタカナ／数字／アルファベット／文書記号しか定義されていない。また、その表示装置も特開２０００−３０５４４８号公報に記載のように、ただ６点の点字が羅列しているだけである。
【０００３】
【発明が解決しようとする課題】
上記従来の点字はコンピュータのプログラミング言語などに必要な演算記号（例：＋，＝）などが定義されていないため、視覚障害者がコンピュータのプログラミング言語を作成する際に非常に不便であるといった問題があった。また、上記従来の表示装置についても、コンピュータのプログラミング操作に必要不可欠なカーソルの現在位置を認識する点について配慮がされておらず、視覚障害者がカーソル位置を認識できないといった問題があった。
【０００４】
本発明は、視覚障害者に新しい点字を使ってコンピュータのプログラミング操作を容易にすることを目的としており、さらに、コンピュータのプログラミング操作に必要不可欠なカーソルの現在位置を認識することができる表示装置を提供することを目的とする。
【０００５】
【課題を解決するための手段】
上記目的を達成するために、従来の６点式点字に代わり、点字を８個に増やし、それをＡＳＣＩＩ／ＪＩＳコードに対応させる。ＡＳＣＩＩ／ＪＩＳコードにはプログラミング言語に必要な演算記号（例：＋，＝）が定義されているので、プログラミング操作が可能となる。また、点字表示装置において、カーソルに位置を認識させるために、点字ピンとは別にカーソルピンを設ける。
【０００６】
【発明の実施の形態】
以下、本発明の実施例を図１〜５により説明する。従来の６点式点字の１マスは図１に示すように、点が３行２列に配置されるものであるが、本発明である８点式点字の１マスは図２に示すように、点が横一列に並び、且つ斜めに配置されるものである。斜めに配置する理由は、隣接する他のマスと区別がしやすいようにするためである。また、点の名称は従来の６点式点字は図１に示すように、１番左上の点を「１の点」とし、その下に向かって「２の点」「３の点」、１番右上の点を「４の点」とし、その下に向かって「５の点」「６の点」と定義しているのに対し、本発明の８点式点字は１番右上の点を「０の点」とし、左下に向かって「１の点」・・・「７の点」と定義する。点の配列は必ずしも図２に限定するものではないが、混乱を避けるためにも、図２の配列であることが望ましい。文字との対応関係については、図３に示すように、「ア」の場合、ＡＳＣＩＩ／ＪＩＳコードに変換すると「Ｂ１」となり、これを２進数表示に変換すると「１０１１０００１」とり、「１」の部分の点を突起させると、３０１のようになる。尚、従来の６点式点字では３０２のようになる。また、「＋」の場合、ＡＳＣＩＩ／ＪＩＳコードに変換すると「２Ｂ」となり、これを２進数表示に変換すると「００１０１０１１」とり、「１」の部分の点を突起させると、３０３のようになる。尚、従来の６点式点字では「＋」は定義されていない。本実施例によれば、従来、６点式点字では使用できなかった、演算記号を使用できるようになる効果がある。
【０００７】
次に、点字表示装置の実施例について説明する。図４に示すように点字ピンディスプレイ４０１において、点字１マスのなかに点字ピン４０２を対角線上に配置する。また、点字ピン４０２の右下にカーソルの位置を認識するためのカーソルピン４０３を配置する。カーソルピン４０３の大きさは点字ピン４０２と区別しやすいように、やや大きめになっている。このカーソルピン４０３を振動させることにより、カーソルの位置を示す。本実施例によれば、視覚障害者は従来の点字表示装置では認識することができなかったカーソルの位置を認識することができる効果がある。
【０００８】
次に、パソコンでの実施例について説明する。図５に示すように、パソコン本体５０１に点字ピンディスプレイ５０２と点字キーボード５０３を接続する。点字ピンディスプレイ５０２は前述の図４の構成をとっており、手で触ることで本発明の点字を認識できる。点字キーボード５０３はキー表面に点字が設けられており、何のキーであるか識別できるようになっている。視覚障害者は、点字キーボード５０３によって、コンピュータのプログラミング言語の入力を行い、点字ピンディスプレイ５０２によって、入力内容を確認する。本実施例によれば、視覚障害者はコンピュータのプログラミング言語の作成を容易に行うことができる効果がある。
【０００９】
次に、プログラミング操作における実施例について説明する。通常、コンピュータ言語のソース・プログラムを作成して、コンパイル（翻訳）した際、コンピュータがプログラム内容をチェックし、エラーがあった場合は、その個所を反転表示する。本実施例では、図６に示すように、３行あるプログラムのうち、２行目にエラーがある場合は、２行目のカーソルピンが全て振動する。視覚障害者は、この複数カーソルピンの振動により、エラーのある個所を認識する。本実施例によれば、視覚障害者はソース・プログラムのエラーの修正を容易に行うことができる効果がある。
【００１０】
【発明の効果】
本発明によれば、視覚障害者がコンピュータのプログラミング言語の作成が容易にできるようになるので、視覚障害者のコンピュータ産業への参加を促進することになり、ひいては障害者全体の地位向上の支援に寄与するといった効果がある。
【図面の簡単な説明】
【図１】従来の６点式点字を示す図である。
【図２】本発明の８点式点字の実施例を示す図である。
【図３】本発明の８点式点字の生成方法の実施例と従来点字との比較を示す図である。
【図４】本発明の点字表示装置の実施例を示す図である。
【図５】本発明のパソコンの実施例を示す図である。
【図６】本発明のソース・プログラムのエラー個所を表示する実施例を示す図である。
【符号の説明】
３０１…「ア」の本発明の点字、３０２…「ア」の従来点字、３０３…「＋」の本発明の点字、４０１…点字ピンディスプレイ、４０２…点字ピン、４０３…カーソルピン、５０１…パソコン本体、５０２…点字ピンディスプレイ、５０３…点字キーボード。
【図１】
2004020974.tif 000003
【図２】
2004020974.tif 000004
【図３】
2004020974.tif 000005
【図４】
2004020974.tif 000006
【図５】
2004020974.tif 000007
【図６】
2004020974.tif 000008